(57)【要約】ディスプレイ（１００，１１０）上で画像を見るための方法が提供される。当該方法は、ディスプレイ上での画像の視認性を高めるよう照明効果を作るステップと、作られた照明効果に基づいて、ディスプレイの１つ又はそれ以上の表示設定を自動的に調整するステップとを有する。ディスプレイは、テレビ受信機であっても良く、照明効果は、テレビ受信機に一体化された光源（１０２）、又はテレビ受信機から分離された光源（１１６，１３２）によって作られても良い。１つ又はそれ以上の表示設定は、コントラスト、色調、彩度、色温度、及び輝度から成るグループから選択され得る。
2007510347.tif 000002
【特許請求の範囲】
【請求項１】
ディスプレイ上で画像を見る方法であって：
前記ディスプレイ上での前記画像の視認性を高めるよう照明効果を作るステップ；及び
前記作られた照明効果に基づいて、前記ディスプレイの１つ又はそれ以上の表示設定を自動的に調整するステップ；
を有する方法。
【請求項２】
前記ディスプレイは、テレビ受信機であり、前記照明効果は、前記テレビ受信機に一体化された光源により作られる、ことを特徴とする請求項１記載の方法。
【請求項３】
前記ディスプレイは、テレビ受信機であり、前記照明効果は、前記テレビ受信機から分離した光源により作られる、ことを特徴とする請求項１記載の方法。
【請求項４】
前記１つ又はそれ以上の表示設定は、コントラスト、色調、彩度、色温度、及び輝度から成るグループから選択される、ことを特徴とする請求項１記載の方法。
【請求項５】
前記照明効果を作るステップは、光度を増大させるステップを有し、前記表示設定を自動的に調整するステップは、前記ディスプレイのコントラストを自動的に調整するステップを有する、ことを特徴とする請求項１記載方法。
【請求項６】
画像を見るためのディスプレイであって：
前記画像をレンダリングする表示部；
当該ディスプレイ上での前記画像の視認性を高めるよう照明効果を作る一体化された光源；及び
前記作られた照明効果に基づいて、当該ディスプレイの１つ又はそれ以上の表示設定を自動的に調整する処理装置；
を有するディスプレイ。
【請求項７】
テレビ受信機である、ことを特徴とする請求項６記載のディスプレイ。
【請求項８】
前記１つ又はそれ以上の表示設定は、コントラスト、色調、彩度、色温度、及び輝度から成るグループから選択される、ことを特徴とする請求項６記載のディスプレイ。
【請求項９】
前記一体化された光源は、光度を増大させ、前記処理装置は、前記表示部のコントラストを調整する、ことを特徴とする請求項６記載のディスプレイ。
【請求項１０】
画像を見るためのシステムであって：
表示部上で前記画像をレンダリングするディスプレイ；
該ディスプレイ上での前記画像の視認性を高めるよう照明効果を作る光源；及び
前記作られた照明効果に基づいて、前記ディスプレイの１つ又はそれ以上の表示設定を自動的に調整する処理装置；
を有するシステム。
【請求項１１】
前記ディスプレイは、テレビ受信機であり、前記光源は、前記テレビ受信機に一体化されている、ことを特徴とする請求項１０記載のシステム。
【請求項１２】
前記処理装置は、前記テレビ受信機と一体となっている、ことを特徴とする請求項１１記載のシステム。
【請求項１３】
前記ディスプレイは、テレビ受信機であり、前記光源は前記テレビ受信機から分離されている、ことを特徴とする請求項１０記載のシステム。
【請求項１４】
前記処理装置は、前記テレビ受信機から分離されている、ことを特徴とする請求項１３記載のシステム。
【請求項１５】
前記光源及び前記処理装置は、前記テレビ受信機へ動作可能なように接続されたセットトップボックスに含まれる、ことを特徴とする請求項１４記載のシステム。
【請求項１６】
前記１つ又はそれ以上の表示設定は、コントラスト、色調、彩度、色温度、及び輝度から成るグループから選択される、ことを特徴とする請求項１０記載のシステム。
【請求項１７】
前記光源は、光度を増大させ、前記処理装置は、前記表示部のコントラストを調整する、ことを特徴とする請求項１０記載のシステム。
【請求項１８】
テレビ受信機と共に使用されるセットトップボックスであって：
前記テレビ受信機において画像の視認性を高めるよう照明効果を作る光源；及び
該光源及び前記テレビ受信機へ動作可能なように接続され、前記作られた照明効果に基づいて、前記テレビ受信機の１つ又はそれ以上の表示設定を自動的に調整する処理装置；
を有するセットトップボックス。
【請求項１９】
前記光源は、当該セットトップボックスと一体となっている、ことを特徴とする請求項１８記載のセットトップボックス。
【請求項２０】
ディスプレイ上で画像を見るための、コンピュータ読取可能な媒体に具現化されたコンピュータプログラムであって：
前記ディスプレイでの前記画像の視認性を高めるよう照明効果を作るためのコンピュータ読取可能なプログラムコード手段；及び
前記作られた照明効果に基づいて、前記ディスプレイの１つ又はそれ以上の表示設定を自動的に調整するためのコンピュータ読取可能なプログラムコード手段；
を有するコンピュータプログラム。
【請求項２１】
機械によって読取可能なプログラム記録デバイスであって、
ディスプレイ上で画像を見るための方法ステップを実行するよう前記機械によって実行可能な命令のプログラムを実体的に具現化し、前記方法は：
前記ディスプレイ上での前記画像の視認性を高めるよう照明効果を作るステップ；及び
前記作られた照明効果に基づいて、前記ディスプレイの１つ又はそれ以上の表示設定を自動的に調整するステップ；
を有する、ことを特徴とするプログラム記録デバイス。
【発明の詳細な説明】
【技術分野】
【０００１】
本発明は、概して、ディスプレイ上で画像及び／又は映像の視認性を高めるために光源を使用するディスプレイに関し、更に具体的には、視認性を高めて、光源の出力に基づいてディスプレイの表示設定を自動的に調整するよう光源を内蔵したモニタ及びテレビ受信機のようなディスプレイに関する。
【背景技術】
【０００２】
テレビ受信機又は他のディスプレイと共に光源を利用すること、及び、照明雰囲気を変えること及び／又は照明効果を作ることにより映画を見る又は音楽を聴くといった視認性を高めるために、光源を使用することが、同時継続出願で知られる。しかし、このような照明が、ディスプレイに組み込まれ、さもなければ、ディスプレイと接続して使用される場合に、照明自体が、ディスプレイ自体でレンダリングされた画像及び映像コンテンツの認知に影響を与えうる。
【発明の開示】
【発明が解決しようとする課題】
【０００３】
従って、本発明は、従来技術に関する上記及び他の欠点を解決する方法及びシステムを提供することを目的とする。
【課題を解決するための手段】
【０００４】
それに応じて、ディスプレイ上で画像を見るための方法が提供される。当該方法は：前記ディスプレイ上での前記画像の視認性を高めるよう照明効果を作るステップ；及び、作られた照明効果に基づいて、前記ディスプレイの１つ又はそれ以上の表示設定を自動的に調整するステップ；を有する。
【０００５】
前記ディスプレイは、テレビ受信機であっても良く、前記照明効果は、前記テレビ受信機に一体化された光源により作られても良い。前記ディスプレイは、テレビ受信機であっても良く、前記照明効果は、前記テレビ受信機から分離した光源により作られても良い。
【０００６】
前記１つ又はそれ以上の表示設定は、コントラスト、色調、彩度、色温度、及び輝度から成るグループから選択され得る。
【０００７】
前記照明効果を作るステップは、光度を増大させるステップを有することができ、前記表示設定を自動的に調整するステップは、前記ディスプレイのコントラストを自動的に調整するステップを有することができる。
【０００８】
また、画像を見るためのディスプレイも提供される。当該ディスプレイは：前記画像をレンダリングする表示部；当該ディスプレイ上での前記画像の視認性を高めるよう照明効果を作る一体化された光源；及び、前記作られた照明効果に基づいて、当該ディスプレイの１つ又はそれ以上の表示設定を自動的に調整する処理装置；を有する。当該ディスプレイは、テレビ受信機であっても良い。前記１つ又はそれ以上の表示設定は、コントラスト、色調、彩度、色温度、及び輝度から成るグループから選択され得る。前記一体化された光源は、光度を増大させることができ、前記処理装置は、前記表示部のコントラストを調整することができる。
【０００９】
更に、画像を見るためのシステムが提供される。当該システムは：表示部上で前記画像をレンダリングするディスプレイ；該ディスプレイ上での前記画像の視認性を高めるよう照明効果を作る光源；及び、前記作られた照明効果に基づいて、前記ディスプレイの１つ又はそれ以上の表示設定を自動的に調整する処理装置；を有する。
【００１０】
前記ディスプレイは、テレビ受信機であっても良く、前記光源は、前記テレビ受信機に一体化されても良い。この場合には、前記処理装置は、前記テレビ受信機と一体となることができる。
【００１１】
前記ディスプレイは、テレビ受信機であっても良く、前記光源は前記テレビ受信機から分離されても良い。この場合には、前記処理装置は、前記テレビ受信機から分離されることができる。前記光源及び前記処理装置が前記テレビ受信機から分離されている場合には、前記光源及び前記処理装置は、前記テレビ受信機へ動作可能なように接続されたセットトップボックスに含まれている。
【００１２】
前記１つ又はそれ以上の表示設定は、コントラスト、色調、彩度、色温度、及び輝度から成るグループから選択され得る。前記光源が、光度を増大させる場合に、前記処理装置は、前記表示部のコントラストを調整することができる。
【００１３】
また更に、テレビ受信機と共に使用されるセットトップボックスが提供される。当該セットトップボックスは：前記テレビ受信機において画像の視認性を高めるよう照明効果を作る光源；及び、該光源及び前記テレビ受信機へ動作可能なように接続され、前記作られた照明効果に基づいて、前記テレビ受信機の１つ又はそれ以上の表示設定を自動的に調整する処理装置；を有する。前記光源は、当該セットトップボックスと一体となることができる。
【００１４】
更に、本発明の方法を実行するためのコンピュータプログラムプロダクトと、そのコンピュータプログラムプロダクトを記憶するプログラム記憶デバイスとが提供される。
【００１５】
本発明の装置及び方法の上記及び他の特性、態様、及び利点について、以下の記述、添付の特許請求の範囲、及び添付の図面を参照して、更に詳細に説明する。
【発明を実施するための最良の形態】
【００１６】
本発明は、多種多様な形式のディスプレイ及び光源に適用可能であるが、特に、一体化された光源を有するテレビ受信機の環境で有用であることが分かっている。従って、本発明の適用性を一体化された光源を有するテレビ受信機に限定せずに、本発明を、このような環境において説明する。しかし、当業者は、本発明のディスプレイが他の形式のモニタであっても良く、光源がそれから分離されていても良いことを認識しうる。
【００１７】
ここで、図１を参照すると、テレビ受信機の形でディスプレイ１００が示されている。テレビ受信機１００は、テレビ受信機の表示部１０４を囲むことができる一体化された光源１０２を有する。一体化された光源１０２は、表示部１０４の周りのフレーム１０８に配置された一連のＬＥＤ１０６であっても良い。表示部１０４は、（本明細書で「画像」又は「画像コンテンツ」と総称される）画像及び／又は映像のコンテンツのレンダリングを表示する。光源１０２は、同時継続のオランダ特許出願ＮＬ０２０６２７、ＮＬ０２０６２８、及びＮＬ０２０６０７で論じられているように、テレビ受信機１００の表示部１０４でレンダリングされた画像の視認性を高めるために使用されている。上記特許文献の夫々の内容は、それらの全体として、参照することにより本明細書に援用されている。光源１０２は、（本明細書で「照明効果」と総称される）周囲の照明状態を変更すること及び／又は照明効果を作ることによって、テレビ受信機１００の表示部１０４でレンダリングされた画像の視認性を高めることができる。上述したように、このような方法及び装置がテレビ受信機１００の表示部１０４でレンダリングされた画像の視認性を高める一方で、照明自体は、表示部１０４でレンダリングされた画像の認知に影響を及ぼしうる。
【００１８】
ここで、図２を参照すると、画像をレンダリングするための表示部１１２を有するテレビ受信機１１０が示されている。セットトップボックス１１４が、画像コンテンツをテレビ受信機１１０へ供給するように、設けられて、テレビ受信機１１０へ動作可能なように接続されている。セットトップボックス１１４は、パーソナル・ビデオレコーダ（ＰＶＲ）、ＶＣＲ、ＤＶＤ再生機、及びケーブルチューナのようなチューナのように、テレビ受信機と接続して使用される如何なる装置であっても良い。図２の実施例では、光源１１６は、セットトップボックス１１４に組み込まれており、一体化された光源１０２に関して上述した事柄と同じ目的のために、即ち、テレビ受信機１１０の表示部１１２でレンダリングされた画像の視認性を高めるために、使用される。
【００１９】
ここで、図３を参照すると、図１のテレビ受信機１００の概略図が表されている。テレビ受信機１００は、画像コンテンツ入力信号１２０を受信して、表示部１０４で対応する画像をレンダリングするために、同じ信号を表示部１０４へ供給する処理装置１１８を有する。従って、表示部１０４は、処理装置１１８の制御下にある。当然のことながら、処理装置１０８は、信号１２０を、表示部１０４に適合するように、フォーマットし、逆多重化（ｄｅ−ｍｕｌｔｉｐｌｅｘ）し、且つ、別な方法で状態を整えることができる。テレビ受信機１００は、テレビ受信機の通常動作を実行するための、光源の制御のための、及び以下で十分に論じるような本発明の方法を実行するための設定及びプログラム命令を記憶するために、処理装置１１８へ動作可能なように接続された記憶装置１２２を更に有する。単一の記憶装置として示されているが、当業者は、記憶装置１２２が２つ又はそれ以上の記憶装置で実施されても良く、このような記憶装置が当該技術分野で知られるデータを記憶するための如何なる形式から成っても良いことを認識しうる。光源１０２も、また、処理装置１１８の制御下にあり、表示部１０４でレンダリングされた画像の視認性を高めるように、記憶装置１２２に含まれた一連の命令に従って制御される。
【００２０】
ここで、図４を参照すると、図２のテレビ受信機及びセットトップボックスが表されている。セットトップボックスは、画像コンテンツ入力信号１２０を受信して、表示部１１２で対応する画像をレンダリングするために同じ信号を表示部１１２へ供給する処理装置１２４を有する。上述したように、処理装置１２４は、信号１２０を、表示部１１２に適合するように、フォーマットし、逆多重化し、且つ、別な方法で状態を整えることができる。セットトップボックス１１４は、セットトップボックス１１４の通常動作を実行するための、光源の制御のための、及び以下で十分に論じるような本発明の方法を実行するための設定及びプログラム命令を記憶するために、処理装置１２４へ動作可能なように接続された記憶装置１２６を更に有する。単一の記憶装置として示されているが、当業者は、記憶装置１２６が２つ又はそれ以上の記憶装置で実施されても良く、このような記憶装置が当該技術分野で知られる如何なる形式から成っても良いことを認識しうる。光源１１６も、また、処理装置１２４の制御下にあり、表示部１１２でレンダリングされた画像の視認性を高めるように、記憶装置１２６に含まれた一連の命令に従って制御される。
【００２１】
代替的には、テレビ受信機１１０の処理装置１１８は、セットトップボックス１１４から画像コンテンツ入力信号１２０を受信して、表示部１１２で対応する画像をレンダリングするために、同じ信号を表示部１１２へ供給することができる。従って、表示部１１２は、セットトップボックス１１４の処理装置１２４又はテレビ受信機１１０の処理装置１１８のいずれか一方の制御下にありうる。テレビ受信機１１０の記憶装置１２２は、テレビ受信機の通常動作を実行するための設定及びプログラム命令を記憶するために、処理装置１１８へ動作可能なように接続されている。以下で論じるように、処理装置１１８は、また、それに動作可能なように接続された照明センサ１２８と共に使用される場合に、本発明の方法を実行することができる。
【００２２】
ここで、図５を参照すると、図２及び４に関して示され、記述されたものと類似するテレビ受信機及びセットトップボックスが表されている。しかし、セットトップボックス１３０と一体となった光源１３２の代わりに、それらは、テレビ受信機１１０に隣接した壁１３４に実装されている。光源１３２は、セットトップボックス１３０へ動作可能なように接続されており、テレビ受信機１１０の表示部１１２でレンダリングされた画像の視認性を高めるように、その処理装置１３６の制御下にある。
【００２３】
以下、本発明の方法について、図１〜５を参照して説明する。上述したように、光源１０２、１１６、１３２は、（本明細書で「照明効果」と総称される）周囲の照明状態を変更すること及び／又は照明効果を作ることによって、テレビ受信機１００、１１０の表示部１０４、１１２でレンダリングされた画像の視認性を高めることができる。しかし、光源１０２、１１６、１３２は、表示部１０４、１１２においてレンダリングされた画像の認知に影響を及ぼしうる。従って、処理装置１１８、１２４は、光源１０２、１１６、１３２の作られた照明効果を検出し、作られた照明効果に基づいて、表示部１０４、１１２の１つ又はそれ以上の表示設定を自動的に調整する。１つ又はそれ以上の表示設定は、コントラスト、色調、彩度、色温度、及び輝度であっても良い。例えば、光源１０２、１１６、１３２が周囲の光度を増大させる場合には、この光度の増大は、処理装置１１８、１２４に、コントラストを増大させるよう表示部１０４、１１２のコントラストを自動的に調整させる。他の実施例では、光源１０２、１１６、１３２は、ＲＧＢ及び琥珀色のＬＥＤを用いて、周囲の照明の色を変更することができる。それに応じて、処理装置１１８、１２４は、表示部１０４、１１２の色調、彩度、及び／又は色温度を然るべく調整することによって、表示部１０４、１１２でレンダリングされた画像の色変化を自動的に適合させることができる。
【００２４】
図３〜５の構成では、望ましくは、表示設定の調整は、テレビ受信機の処理装置１１８へと中継されて、テレビ受信機１１０に内蔵された処理装置１１８によって実行される。しかし、セットトップボックス１１４、１３０の処理装置１２４も、また、表示部１１２の表示設定を直接的に制御することができる。表示設定の制御は、作られた様々な照明効果に対して参照テーブル内の値に基づくことでき、あるいは、それは、異なった照明効果特性を考慮に入れるアルゴリズムに基づくことができる。
【００２５】
望ましくは、照明効果及びその特性は、表示部１０４、１１２の表示設定の調整を実行する同じ処理装置１１８、１２４によって制御される。従って、作られた照明効果は、もしあれば、表示設定の調整を決定するようアルゴリズム又は参照テーブルへ直接的に入力される。しかし、第１の処理装置（例えば、１２４）が照明効果を制御し、第２の処理装置（例えば、１１８）が表示設定の調整を制御する場合には、第１の処理装置は、作られた照明効果を供給するよう、第２の処理装置と通信することができる。その場合に、第２の処理装置は、作られた照明効果に基づいて、表示設定に対する調整を決定することができる。第１の処理装置は、また、表示設定の所望の調整を第２の処理装置へ供給することができる。この場合には、第２の処理装置は、このような調整を実行するに過ぎない。代替的には、テレビ受信機の処理装置１１８は、照明センサ１２８の使用によって、セットトップボックス１１４の処理装置１２４から同様の通信をすることなく、表示設定に対する調整を実行することができる。照明センサは、光源１０２、１１６、１３０（及び標準的な部屋又は自然の光のような如何なる他の外部光）によって作られた周囲の照明状態を決定し、表示部１１２の表示設定の如何なる調整をも決定するために使用されうる。更に、照明センサ１２８は、作られた照明効果にのみ基づいて光源１０２、１１６、１３０によって表示設定の調整を行うように、標準的な室内又は自然の光のような（光源１０２、１１６、１３０の外部の）外部供給源からの照明効果を決定するためだけに使用されうる。即ち、処理装置１１８、１２４は、作られた照明効果に基づいて表示設定に対する調整を決定することができ、その調整は、それ自体、（作られた照明効果と、自然源及び標準的な部屋の照明のような如何なる外部光源との間の差に過ぎない）照明センサ１２８で検出された照明状態に基づいて調整されうる。
【００２６】
本発明の方法は、特に、望ましくは当該方法の個々のステップに対応するモジュールを含むコンピュータソフトウェアプログラムのような、コンピュータソフトウェアプログラムによって実行されることに適している。このようなソフトウェアは、当然のことながら、集積チップ又は周辺デバイスのような、コンピュータで読込み可能な媒体で具現化されうる。本発明の好ましい実施例と考えられる実施形態が示され、記述されている一方で、当然のことながら、形式上の又は細部に亘る様々な変形及び変更が、容易に、本発明の主旨を損なわない範囲で為されうる。従って、本発明は、記述され、表された厳密な形に限定されず、添付の特許請求の範囲の適用範囲内に含まれる全ての変形に及ぶと考えられるべきであることが分かる。
【図面の簡単な説明】
【００２７】
【図１】一体化された光源を有するディスプレイを表す。
【図２】光源を有するセットトップボックスへと動作可能なように接続されたディスプレイを表す。
【図３】図１のディスプレイの系統図を表す。
【図４】図２のディスプレイ及びセットトップボックスの系統図を表す。
【図５】ディスプレイ、セットトップボックス及び壁掛け式の光源を有するシステムを表す。
【図１】
2007510347.tif 000003
【図２】
2007510347.tif 000004
【図３】
2007510347.tif 000005
【図４】
2007510347.tif 000006
【図５】
2007510347.tif 000007
【国際調査報告】
2007510347.tif 000008
2007510347.tif 000009
2007510347.tif 000010